(57)【要約】【課題】外装ケースに対してホルダケースを確実に固定できる一方で、その取り外し作業も容易に行えるようにする。【解決手段】金属板よりなる外装ケース１０と、凹部２１内に表示パネルが収納され外装ケース内に嵌合される合成樹脂材からなるホルダケース２０と、外装ケース１０の側板１３側の係止孔１４とホルダケース２０の側枠２３側の係止突起２４とからなる係止手段とを含む電気光学表示装置の筐体において、係止突起２４を有する側枠２３のうち、係止突起２４よりも先に外装ケース１０内に入り込む先端側部分２３１に側板１３に当接する位置決め規制面としての当接面２３１を形成するとともに、係止突起２４よりも後に外装ケース１０内に入り込む後端側部分２３２と側板１３との間にマイナスドライバーなどの工具を差し込み可能とする隙間Ｇを設ける。【選択図】図１
2007232812.tif 000002
【特許請求の範囲】
【請求項１】
一方の面に表示パネルの表示部に対応する表示窓を有し、上記一方の面の４辺からほぼ直角に折り曲げられた側板により他方の面が開口部とされた全体が金属板よりなる額縁型の外装ケースと、底板および上記底板の４辺にほぼ直角に形成された側枠により囲まれた凹部内に上記表示パネルが収納され、上記凹部の開口面側から上記外装ケース内に嵌合される全体が合成樹脂材からなるホルダケースと、上記外装ケース内で上記ホルダケースを係止する係止手段とを含み、上記表示パネルを上記ホルダケースを介して上記外装ケース内に配置する電気光学表示装置の筐体において、
上記係止手段が、上記外装ケースの所定の側板に形成された係止孔と、上記ホルダケースを上記外装ケース内に嵌合する際、上記外装ケースの上記所定の側板を乗り越えて上記係止孔内に入り込む上記ホルダケースの所定の側枠に一体に形成された係止突起との組合せからなり、
上記係止突起を有する上記ホルダケースの所定の側枠は、上記係止突起より先に上記外装ケース内に入り込む先端側部分と、上記係止突起より後に上記外装ケース内に入り込む後端側部分とを含み、上記先端側部分は、上記外装ケースの上記所定の側板の内面に当接する当接面を有し、上記後端側部分は、上記外装ケースの上記所定の側板の内面との間で所定幅の隙間を有するように形成されていることを特徴とする電気光学表示装置の筐体。
【請求項２】
上記後端側部分は、上記外装ケースの上記所定の側板の内面と平行に形成されている請求項１に記載の電気光学表示装置の筐体。
【請求項３】
上記後端側部分は、上記隙間の幅が上記係止突起から離れる方向に向けて漸次広くなる傾斜面を備える請求項１に記載の電気光学表示装置の筐体。
【請求項４】
上記隙間は０．５〜１．０ｍｍの幅である請求項１ないし３のいずれか１項に記載の電気光学表示装置の筐体。
【発明の詳細な説明】
【技術分野】
【０００１】
本発明は、電気光学表示装置の筐体に関し、さらに詳しく言えば、外装ケースと、内部に表示パネルを保持して外装ケース内に嵌合係止されるホルダケースとを含む電気光学表示装置の筐体において、外装ケースに対するホルダケースの係止手段を必要に応じて簡単に解除可能とする技術に関するものである。
【背景技術】
【０００２】
電気光学表示装置のうち代表的な液晶表示装置の筐体は、一般的な構成として、ベゼルケースとも呼ばれる外装ケースと、液晶表示装置の構成部品を保持するホルダケースとを含み、ホルダケース内に液晶表示装置の構成部品である例えば液晶パネルやバックライトなどが収納され、その後にホルダケースが外装ケース内にはめ込まれる。
【０００３】
その従来例を図３の分解斜視図により説明すると、外装ケース１０には、一方の面１１に表示窓１２を有し、その一方の面１１の４辺から同一方向にほぼ直角に折り曲げられた側板１３により、他方の面が開口部とされた全体が金属板よりなる額縁型のケースが用いられる。
【０００４】
ホルダケース２０は、底板２２およびその４辺に立設された側枠２３により囲まれた収納凹部２１を有し、その全体が合成樹脂材により一体に形成される。透過型もしくは半透過型の場合、収納凹部２１内に図示しないバックライトと液晶パネルとが、この順序で収納される。したがって、ホルダケース２０を外装ケース１０内に組み込むと、液晶パネルの表示部が外装ケース１０の表示窓１２の部分に配置される。
【０００５】
外装ケース１０内でのホルダケース２０のガタつきや脱落を防止するため、ホルダケース２０を外装ケース１０内に固定する係止手段が用いられるが、多くの場合、その係止手段には、外装ケース１０内にホルダケース２０をはめ込む際、それに伴って自動的に噛み合う係止孔１４と係止突起２４との組合せからなるワンタッチ式の係止手段が用いられている（例えば、特許文献１参照）。
【０００６】
図３に示すように、通常、係止孔１４は金属製の外装ケース１０の側板１３側に設けられ、係止突起２４は合成樹脂製のホルダケース２０の側枠２３側に設けられる。この例では、筐体の１辺につき、係止孔１４と係止突起２４の対が３対設けられているが、少なくとも１対あればよい。
【０００７】
また、この種のワンタッチ式係止手段は、外装ケース１０とホルダケース２０の対向する２対の２辺のうち、少なくとも一方の対をなす２辺に配置されるが、図３には作図の都合上、その１辺１３ａ，２３ａ側の係止孔１４と係止突起２４のみが示されている。
【０００８】
係止孔１４は単なる貫通孔であるが、係止突起２４はホルダケース２０を外装ケース１０に向けてはめ込む方向（図４の矢印Ａ方向）に沿って順テーパとなるスロープ面２４１と、スロープ面２４１の終端で直角に立ち下がる係止段部２４２とを備える矢尻状として形成される。
【０００９】
これによれば、外装ケース１０に対してホルダケース２０を強制的に押し込む際の側板１３および／または側枠２３の弾性変形により、係止突起２４が側板１３の内面を乗り越えて図４に示すように係止孔１４に嵌合するため、ホルダケース２０を外装ケース１０内にしっかりと固定することができる。
【００１０】
【特許文献１】特開平１０−２４６８８１号公報
【発明の開示】
【発明が解決しようとする課題】
【００１１】
ところで、実際の組立工程では、上記のようにして外装ケース１０内にホルダケース２０を固定したのち最終工程に至るまでの間で、例えば液晶パネルの表示状態やバックライトの照度調整、また異物侵入の有無検査など行うため、外装ケース１０からホルダケース２０を取り外さなければならないことがあり、その際に次のような問題が生ずる。
【００１２】
すなわち、通常の設計では、外装ケース１０とホルダケース２０は、それらの間に隙間が生じないように設計されるため、外装ケース１０からホルダケース２０を取り外す際、その側板１３と側枠２３との間にマイナスドライバなどの工具を入れてこじ開けることができない。無理にこじ開けようとすると、傷が付いたりケースに破損が生ずることになりかねない。
【００１３】
別の方法として、やはりマイナスドライバなどの工具で係止突起２４を強制的に押し込んで係止孔１４から外す方法があるが、係止突起２４は合成樹脂であるため、係止突起２４が潰れてしまうことがある。特に取り外しが数回にわたって行われるような場合には、係止突起２４の潰れがはげしくなり、ホルダケース２０を交換しなければならない事態が生ずる。
【００１４】
したがって、本発明の課題は、外装ケースと、内部に表示パネルを保持して外装ケース内に嵌合係止されるホルダケースとを含む電気光学表示装置の筐体において、外装ケースに対してホルダケースを確実に固定できる一方で、その取り外し作業も容易に行えるようにすることにある。
【課題を解決するための手段】
【００１５】
上記課題を解決するため、本発明は、請求項１に記載されているように、一方の面に表示パネルの表示部に対応する表示窓を有し、上記一方の面の４辺からほぼ直角に折り曲げられた側板により他方の面が開口部とされた全体が金属板よりなる額縁型の外装ケースと、底板および上記底板の４辺にほぼ直角に形成された側枠により囲まれた凹部内に上記表示パネルが収納され、上記凹部の開口面側から上記外装ケース内に嵌合される全体が合成樹脂材からなるホルダケースと、上記外装ケース内で上記ホルダケースを係止する係止手段とを含み、上記表示パネルを上記ホルダケースを介して上記外装ケース内に配置する電気光学表示装置の筐体において、上記係止手段が、上記外装ケースの所定の側板に形成された係止孔と、上記ホルダケースを上記外装ケース内に嵌合する際、上記外装ケースの上記所定の側板を乗り越えて上記係止孔内に入り込む上記ホルダケースの所定の側枠に一体に形成された係止突起との組合せからなり、上記係止突起を有する上記ホルダケースの所定の側枠は、上記係止突起より先に上記外装ケース内に入り込む先端側部分と、上記係止突起より後に上記外装ケース内に入り込む後端側部分とを含み、上記先端側部分は、上記外装ケースの上記所定の側板の内面に当接する当接面を有し、上記後端側部分は、上記外装ケースの上記所定の側板の内面との間で所定幅の隙間を有するように形成されていることを特徴としている。
【００１６】
本発明において、請求項２に記載されているように、上記後端側部分は上記外装ケースの上記所定の側板の内面と平行に形成されてもよいし、請求項３に記載されているように、上記後端側部分は上記隙間の幅が上記係止突起から離れる方向に向けて漸次広くなる傾斜面を備えていてもよい。
【００１７】
また、本発明において、上記隙間は０．５〜１．０ｍｍの幅であることが好ましい。すなわち、０．５ｍｍ未満であると通常用いられるマイナスドライバーなどの工具を差し込むことが困難であり、これに対して１．０ｍｍを超える場合には隙間が大きすぎて外観上好ましくない。
【発明の効果】
【００１８】
本発明によれば、ホルダケースを外装ケース内にはめ込んだ状態では、ホルダケースが係止手段により保持され、かつ、側枠の先端部側の当接面が外装ケースの側板の内面に当接するため、ガタつきなく確実に外装ケース内に固定され、一方、側枠の後端部側と外装ケースの側板との間には所定幅の隙間が設けられているため、ホルダケースを外装ケースから取り外す際には、その隙間にマイナスドライバなどの工具を差し込んで、ケースに損傷を与えることなく、簡単に係止手段を解くことができる。
【発明を実施するための最良の形態】
【００１９】
次に、本発明を図面に示されている実施例に基づいてより詳しく説明する。図１は本発明の要部の一例を概略的に示す拡大断面図，図２は本発明の要部の他の例を概略的に示す拡大断面図である。なお、これらの図においても、液晶表示装置の構成部品に含まれる液晶パネルやバックライトはその図示を省略している。
【００２０】
図１に示すように、本発明に係る液晶表示装置の筐体においても、先の図３で説明した従来例と同じく、外装ケース１０とホルダケース２０とを備える。外装ケース１０には、一方の面１１に表示窓１２を有し、その一方の面１１の４辺からほぼ直角に折り曲げられた側板１３により、他方の面が開口部とされた全体が金属板よりなる額縁型のケースが用いられる。
【００２１】
ホルダケース２０は合成樹脂製であって、底板２２およびその４辺に立設された側枠２３により囲まれた収納凹部２１を備えている。この収納凹部２１内に、透過型もしくは半透過型の場合には図示しないバックライトと液晶パネルとがこの順序で収納され、反射型の場合には液晶パネルのみが収納される。
【００２２】
ホルダケース２０は、収納凹部２１の開口側から外装ケース１０内に嵌合され、これにより液晶パネルの表示部が外装ケース１０の表示窓１２に配置される。外装ケース１０に対するホルダケース２０の嵌合方向を図１に矢印Ａで示す。
【００２３】
本発明においても、外装ケース１０にホルダケース２０を固定するための係止手段として、外装ケース１０の側板１３側に形成された係止孔１４と、ホルダケース２０側に形成された係止突起２４とを備える。
【００２４】
係止突起２４は、ホルダケース２０を外装ケース１０に向けてはめ込む方向（図１の矢印Ａ方向）に沿って順テーパとなるスロープ面２４１と、スロープ面２４１の終端で直角に立ち下がる係止段部２４２とを備える矢尻状の係止突起であることが好ましいが、半円球状の突起が用いられてもよい。
【００２５】
この係止手段によれば、ホルダケース２０を外装ケース１０に向けてはめ込む際、係止突起２４のスロープ面２４１により側板１３が押し開かれ、側板１３がスロープ面２４１を乗り越えた時点で係止段部２４２が係止孔１４の内縁に係合する。
【００２６】
ここで、係止突起２４が設けられている側枠２３のうち、係止突起２４より先に外装ケース１０内に入り込む部分を先端側部分２３１とし、係止突起２４より後に外装ケース１０内に入り込む部分を後端側部分２３２とすると、先端側部分２３１は、外装ケース１０の側板１３の内面に当接するように形成される。
【００２７】
すなわち、先端側部分２３１は、外装ケース１０の側板１３の内面に当接して外装ケース１０内でホルダケース２０を位置決めする規制面としての当接面２３１ａを備え、これによりホルダケース２０のガタつきが防止される。
【００２８】
これに対して、後端側部分２３２と外装ケース１０の側板１３の内面との間には、所定幅の隙間Ｇが設けられる。この隙間Ｇを形成するには、後端側部分２３２の肉厚を先端側部分２３１の肉厚よりも薄くすればよい。
【００２９】
隙間Ｇは外装ケース１０からホルダケース２０を取り外す際に用いられるもので、この隙間Ｇにマイナスドライバーなどの工具を差し込み側板１３を押し開くことにより、係止孔１４と係止突起２４の係合を解くことができる。
【００３０】
隙間Ｇの幅には、設計上の公差幅は含まれない。隙間Ｇの幅は、通常用いられるマイナスドライバーなどの工具を差し込むことができる幅とされるが、その幅があまり大きすぎると外観上好ましくない。したがって、隙間Ｇの幅は上記工具を差し込むことができ、かつ、外観を損ねない範囲の０．５〜１．０ｍｍであることが好ましい。
【００３１】
図１の例では、外装ケース１０の側板１３との間で隙間Ｇを形成する側枠２３の壁面２３２ｂを側板１３の内面と平行としているが、図２に示すように、側枠２３の壁面２３２ｂを係止突起２４の係止段部２４２からホルダケース２０の底板２２側に向けて傾斜する傾斜面としてもよい。
【００３２】
これによれば、隙間Ｇの幅が係止突起２４から離れる方向に向けてＶ字状に漸次広くなるため、その隙間Ｇにマイナスドライバーなどの工具を差し込むだけで外装ケース１０の側板１３を押し広げることができ、より容易に外装ケース１０からホルダケース２０を取り外すことができる。なお、図２の例において、側枠２３の壁面２３２ｂを傾斜面とした点以外は図１の例と同じ構成である。
【００３３】
以上、図１，図２の例に基づいて本発明を説明したが、本発明はこれに限定されるものてない。例えば、ホルダケース２０内には少なくとも液晶パネルが収納されるが、バックライトのほか制御回路基板が収納されてもよい。また、係止突起２４は矢尻状，半球状のほか角錐状などであってもよい。
【００３４】
また、電気光学表示装置として液晶表示装置を例示したが、ＥＬ表示装置やプラズマ表示装置などであってもよい。
【図面の簡単な説明】
【００３５】
【図１】本発明の要部の一例を示す拡大断面図。
【図２】本発明の要部の他の例を示す拡大断面図。
【図３】従来例を示す分解斜視図。
【図４】上記従来例における外装ケースとホルダケースとの係止手段を示す拡大断面図。
【符号の説明】
【００３６】
１０  外装ケース
１１  一方の面
１２  表示窓
１３  側板
１４  係止孔
２０  ホルダケース
２１  収納凹部
２２  底板
２３  側枠
２３１  先端側部分
２３１ａ  当接面
２３２  後端側部分
２３２ｂ  壁面
２４  係止突起
２４１  スロープ面
２４２  係止段部
Ｇ  隙間
【図１】
2007232812.tif 000003
【図２】
2007232812.tif 000004
【図３】
2007232812.tif 000005
【図４】
2007232812.tif 000006